(57)【要約】      （修正有）【課題】足場の控えの単管の水平面に対する角度が変化しても、この控えの単管を容易に固定可能な控え支持部材を提供する。【解決手段】控え支持部材２０は、外部足場の控え単管を床スラブ３から支持するものである。控え支持部材２０は、ボルト３０で床スラブ３上に固定される支持部材本体２１と、支持部材本体２１に設けられて水平方向に延びる円筒形状の連結部２２と、を備える。外部足場の控え単管は、連結部２２に自在クランプ３１で固定される。【選択図】図２
0003226742.tif 000002
【実用新案登録請求の範囲】
【請求項１】
足場の控えの単管を基盤から支持する控え支持部材であって、
アンカー部材で前記基盤上に固定される支持部材本体と、
前記支持部材本体に設けられて水平方向に延びる円筒形状の連結部と、を備え、
前記足場の控えの単管は、前記連結部に連結金具で固定されることを特徴とする控え支持部材。
【請求項２】
前記支持部材本体は、前記基盤上に配置された平板と、当該平板上に立設された筒状の筒状部と、を備え、
前記連結部は、単管が前記筒状部を水平方向に貫通して形成されることを特徴とする請求項１に記載の控え支持部材。
【考案の詳細な説明】
【技術分野】
【０００１】
本考案は、足場の控えの単管を基盤から支持する控え支持部材に関する。
【背景技術】
【０００２】
従来より、建設中の建物を囲んで外部足場を架設し、この外部足場を迫り上げながら、建物を上層に向かって構築することが行われる（特許文献１参照）。
特許文献１には、建物の外側に固定された張出し足場が示されている。この張出し足場は、足場支持部材、建地、布、布板、足場などで構成される。この張出し足場の建地と床スラブとの間には、控え柱が取り付けられている。
【０００３】
特許文献２には、足場を壁柱に固定する足場構造が示されている。壁柱には、カーテンウォールを取り付けるための取付け穴が設けられ、足場は、水平方向および鉛直方向に延びる円形鋼管からなる足場本体と、この足場本体に設けられたブラケット足場と、足場本体に設けられて取付け穴に連結される連結部材と、を備える。
【先行技術文献】
【特許文献】
【０００４】
【特許文献１】特開平６−２１２７８２号公報
【特許文献２】特開２０１１−２３１５１１号公報
【考案の概要】
【考案が解決しようとする課題】
【０００５】
本考案は、足場の控えの単管の水平面に対する角度が変化しても、この控えの単管を容易に固定可能な控え支持部材を提供することを課題とする。
【課題を解決するための手段】
【０００６】
第１の考案の控え支持部材（例えば、後述の控え支持部材２０）は、足場（例えば、後述の外部足場１０）の控えの単管（例えば、後述の控え単管１６）を基盤（例えば、後述の床スラブ３）から支持する控え支持部材であって、アンカー部材（例えば、後述のボルト３０）で前記基盤上に固定される支持部材本体（例えば、後述の支持部材本体２１）と、前記支持部材本体に設けられて水平方向に延びる円筒形状の連結部（例えば、後述の連結部２２）と、を備え、前記足場の控えの単管は、前記連結部に連結金具（例えば、後述の自在クランプ３１）で固定されることを特徴とする。
【０００７】
この考案によれば、アンカー部材で基盤上に控え支持部材の支持部材本体を固定し、連結金具により、足場の控えの単管をこの控え支持部材の連結部に連結する。よって、風や地震などにより足場に生じる水平力を、控えの単管を介して、控え支持部材で負担できる。
また、連結金具を用いて、足場の控えの円筒形状の単管を、控え支持部材の円筒形状の連結部に連結するので、控えの単管の水平面に対する角度が変化しても、控えの単管を控え支持部材の連結部に容易に連結できる。
【０００８】
第２の考案の控え支持部材は、前記支持部材本体は、前記基盤上に配置された平板（例えば、後述の平板２３）と、当該平板上に立設された筒状の筒状部（例えば、後述の筒状部２４）と、を備え、前記連結部は、単管が前記筒状部を水平方向に貫通して形成されることを特徴とする。
【０００９】
この考案によれば、支持部材本体を平板および筒状部で構成し、この筒状部に単管を水平方向に貫通させて連結部としたので、控え支持部材を簡素な構造として容易に製作できる。
【考案の効果】
【００１０】
本考案によれば、外周足場の控えの単管の水平面に対する角度が変化しても、この控えの単管を容易に固定可能な控え支持部材を提供できる。
【図面の簡単な説明】
【００１１】
【図１】本考案の一実施形態に係る控え支持部材が設けられた外部足場の縦断面図である。
【図２】図１の破線Ａで囲まれた部分の拡大図（控え支持部材の側面図）である。
【図３】控え支持部材の正面図および平面図である。
【図４】新築建物を構築する手順のフローチャートである。
【図５】新築建物を構築する手順の説明図である。
【考案を実施するための形態】
【００１２】
本考案は、外部足場の控え単管を床スラブ上に固定する控え支持部材である。控え支持部材は、ボルトによって床スラブ上に固定される支持部材本体と、支持部材本体に設けられて水平方向に延びる円筒形状の連結部と、を備えており、外部足場の控え単管が自在クランプを介して連結部に固定されている。すなわち、控え支持部材は、外部足場の上端部と新築建物の建設中の最上階の床スラブとの間に設置される、外部足場の控え手段である。
以下、本考案の一実施形態について、図面を参照しながら説明する。
図１は、本考案の一実施形態に係る控え支持部材２０が設けられた仮設の外部足場１０の縦断面図である。
外部足場１０は、新築建物１を構築するためのものである。新築建物１は、図示しない柱、各階の外周梁２、および外周梁２に接合された床スラブ３、および外壁パネル４を備える。外周梁２および床スラブ３は、ｔ階床レベルまで構築されており、外壁パネル４は、（ｔ−１）階床レベルまで取り付けられている。
【００１３】
外部足場１０は、新築建物１の（ｔ−３）階床レベル〜（ｔ＋１）階床レベルまでを囲んで設置されている。この外部足場１０は、高さ方向に複数段構築された足場本体１１と、足場本体１１の外側に全面に亘って設けられた垂直ネット１２と、足場本体１１の上部に設けられたブラケット足場１３と、足場本体１１の上部に設けられて新築建物１の外周梁２に係止する係止ブラケット１４と、足場本体１１の下部に設けられて新築建物１の外壁パネル４に連結された壁繋ぎ１５と、足場本体１１の上端部と新築建物１の床スラブ３とを連結する控え単管１６と、を備える。
係止ブラケット１４は、ｔ階および（ｔ−１）階の外周梁２に係止している。この係止ブラケット１４が外周梁２に係止することにより、外部足場１０が新築建物１の躯体に支持されることになる。
壁繋ぎ１５は、外壁パネル４の（ｔ−２）階床レベルおよび（ｔ−３）階床レベルに連結されている。風や地震などにより外部足場１０の下部に作用する水平力は、この壁繋ぎ１５を介して外壁パネル４に伝達される。
控え単管１６は、控え支持部材２０により、新築建物１の基盤としてのｔ階の床スラブ３から支持されている。この控え支持部材２０は、新築建物１のｔ階の床スラブ３の外周部に固定されている。風や地震などにより外部足場１０の上部に作用する水平力は、この控え単管１６および控え支持部材２０を介して新築建物１の躯体に伝達される。
【００１４】
図２は、図１の破線Ａで囲まれた部分の拡大図（控え支持部材２０の側面図）である。図３（ａ）は、控え支持部材２０の正面図であり、図３（ｂ）は、控え支持部材２０の平面図である。
控え支持部材２０は、アンカー部材としてのボルト３０で床スラブ３上に固定される支持部材本体２１と、支持部材本体２１に設けられて水平方向に延びる円筒形状の連結部２２と、を備える。
外部足場１０の控え単管１６は、連結部２２に連結金具としての自在クランプ３１で固定されている。
支持部材本体２１は、床スラブ３上に配置された矩形状の平板２３と、平板２３上に立設された筒状の筒状部２４と、を備える。この平板２３の中央部には、貫通孔２５が形成されている。床スラブ３には、インサート３２が埋設されており、控え支持部材２０の貫通孔２５にボルト３０を挿通して、インサート３２に螺合することで、控え支持部材２０が床スラブ３に固定される。
連結部２２は、単管が筒状部２４を水平方向に貫通して形成されている。
【００１５】
以下、控え支持部材２０の設置を含む新築建物１の構築手順を、図４のフローチャートに従って説明する。
ステップＳ１では、図１に示すように、新築建物１の躯体（外周梁２および床スラブ３）をｔ階床レベルまで構築し、外壁パネル４を（ｔ−２）階床レベルまで取り付ける。また、外部足場１０を、（ｔ−３）階床レベルから（ｔ＋１）階床レベルまで設置する。
ステップＳ２では、図５（ａ）に示すように、新築建物１の躯体（外周梁２および床スラブ３）を（ｔ＋１）階床レベルまで構築する。
【００１６】
ステップＳ３では、図５（ａ）に示すように、ｔ階の外周梁２にチェーンブロック固定ブラケット４０を取り付けて、このチェーンブロック固定ブラケット４０と外部足場１０の下端部とを電動チェーンブロック４１で連結する。
ステップＳ４では、図５（ａ）に示すように、外部足場１０から、係止ブラケット１４、壁繋ぎ１５、および控え単管１６を取り外す。これにより、外部足場１０は、電動チェーンブロック４１で新築建物１の外周梁２から吊り下げ支持される。
【００１７】
ステップＳ５では、図５（ｂ）に示すように、電動チェーンブロック４１を駆動して、外部足場１０を１層分上方に迫り上げる。
ステップＳ６では、外部足場１０に、係止ブラケット１４、壁繋ぎ１５および控え単管１６を取り付ける。このとき、控え支持部材２０を（ｔ＋１）階の床スラブ３に固定し、この控え支持部材２０に控え単管１６を取り付ける。
ステップＳ７では、電動チェーンブロック４１を取り外す。
ステップＳ８では、上述のステップＳ２〜Ｓ７を繰り返して、下階から上階に向かって躯体を構築してゆく。
【００１８】
本実施形態によれば、以下のような効果がある。
（１）床スラブ３上にボルト３０で控え支持部材２０の支持部材本体２１を固定し、自在クランプ３１により、外部足場１０の控え単管１６をこの控え支持部材２０の連結部２２に連結する。よって、風や地震などにより外部足場１０に生じる水平力を、控え単管１６を介して、控え支持部材２０で負担できる。つまり、控え支持部材２０は、控え単管１６による圧縮力および引張力を負担できる。これにより、控え支持部材２０は、外部足場１０の上端部と新築建物１の建設中の最上階の床スラブとの間に設置される、外部足場１０の控えとなっている。
また、自在クランプ３１を用いて、外部足場１０の円筒形状の控え単管１６を、控え支持部材２０の円筒形状の連結部２２に連結するので、控え単管１６の水平面に対する角度が変化しても、控え単管１６を控え支持部材２０の連結部２２に容易に連結できる。
【００１９】
（２）支持部材本体２１を平板２３および筒状部２４で構成し、この筒状部２４に単管を水平方向に貫通させて連結部２２としたので、控え支持部材２０を簡素な構造として容易に製作できる。
【００２０】
なお、本考案は前記実施形態に限定されるものではなく、本考案の目的を達成できる範囲での変形、改良等は本考案に含まれるものである。
【符号の説明】
【００２１】
１…新築建物  ２…外周梁  ３…床スラブ（基盤）  ４…外壁パネル
１０…外部足場  １１…足場本体  １２…垂直ネット  １３…ブラケット足場
１４…係止ブラケット  １５…壁繋ぎ  １６…控え単管
２０…控え支持部材  ２１…支持部材本体  ２２…連結部
２３…平板  ２４…筒状部  ２５…貫通孔
３０…ボルト（アンカー部材）  ３１…自在クランプ（連結金具）  ３２…インサート
４０…チェーンブロック固定ブラケット  ４１…電動チェーンブロック
【図１】
0003226742.tif 000003
【図２】
0003226742.tif 000004
【図３】
0003226742.tif 000005
【図４】
0003226742.tif 000006
【図５】
0003226742.tif 000007